(57)【要約】【課題】１コマ給送中にフイルムが膨らんで蛇行することを防止する。【解決手段】乳剤面を内側にしてロールフイルムを巻回した送出用スプール４８から内外面を反転してフイルム１５を送出用のガイドローラ４８に引き出し、その送出用のガイドローラ４８とこれから所定距離離して配した巻上げ用のガイドローラ４９との間で露光させるためのフイルム展延部１５ａを作るとともに、巻上げ用のガイドローラ４９から再び内外面が反転するように乳剤面側を内にしてフイルム１５を巻取り用スプール４５に巻き取る。巻上げ用のガイドローラ４９に対向する内壁に、そのガイドローラ４９の周面から巻取り用スプール４５に向けた給送路上でフイルム１５の膨らみが所定の膨らみを超えないように規制する押さえローラ５７を設ける。【選択図】　　　　図５
2004117471.tif 000002
【特許請求の範囲】
【請求項１】
乳剤面を内側にしてロールフイルムを巻回した送出用スプールから内外面を反転してフイルムを送出用のガイドローラに引き出し、その送出用のガイドローラとこれから所定距離離して配した巻上げ用のガイドローラとの間で露光させるためのフイルム展延部を作るとともに、巻上げ用のガイドローラから再び内外面が反転するように乳剤面側を内にしてフイルムを巻取り用スプールに巻き取るフイルム給送機構を備えたフイルムマガジンにおいて、
前記巻上げ用のガイドローラに対向する内壁に、その巻上げ用のガイドローラの周面から巻取り用スプールに向けた給送路上でフイルムの膨らみが予め決められた膨らみを超えないように規制する規制手段を設けたことを特徴とするフイルムマガジン。
【発明の詳細な説明】
【０００１】
【発明の属する技術分野】
本発明は、写真用カメラのフイルムマガジンに関し、さらに詳しくは、例えばブローニーサイズの１２０ロールフイルムや２２０ロールフイルムのように予めスプールに巻回した状態の写真フイルムを装填するフイルムマガジンに関するものである。
【０００２】
【従来の技術】
ブローニーサイズのロールフイルムは、カートリッジ（パトローネ）が付いていないため、遮光用の裏紙を用いてフイルムをスプールにロール形態に巻き取って遮光した状態で市販されている。カメラへの装填は、未露光の写真フイルムを巻回した送出用スプール（実スプール）をカメラのフイルム装填室にセットし、次に、空の巻取り用スプールをカメラのフイルム巻取り室にセットする。
【０００３】
撮影は、送出用スプールから未露光の写真フイルムを引き出しながら行う。そして、撮影済みの写真フイルムを巻取り用スプールに巻き取る。撮影が完了した後には写真フイルムの全てが巻取り用スプールに巻き取られる。この巻取り用スプールは、フイルム収納室から取り出され、現像所に提出される。そして、撮影完了後フイルム装填室にセットした送出用スプールは、写真フイルムが全て引き出されて空となる。このスプールは、次回の撮影時にフイルム装填室から取り出され、空の巻取り用スプールとしてフイルム巻取り室にセットされる。
【０００４】
ブローニーサイズのロールフイルムとしては、１２０ロールフイルムと２２０ロールフイルムとが提供されており、これらは、どちらも同じフイルム幅である。１２０ロールフイルムは、フイルムと、このフイルムよりも長い裏紙と、これらを接合する接合テープとを用い、裏紙の先端と後端とを余らせた状態で、フイルムの先端と後端とを接合テープで裏紙に取り付けたものである。これにより、接合テープよりも先端側の裏紙部分がリーダーペーパーとなり、接合テープよりも後端側の裏紙部分がトレーラーペーパーとなる。
【０００５】
また、２２０ロールフイルムは、フイルムの先端側と後端側とだけにそれぞれ裏紙からなるリーダーペーパーとトレーラーペーパーとを接合テープで取り付けた形態である。したがって、カメラのアパーチャーにロールフイルムがセットされた状態では、２２０ロールフイルムよりも１２０ロールフイルムの方が裏紙の分だけ厚くなる。
【０００６】
このようなブローニーサイズのロールフイルムを用いるカメラでは、フイルム幅が長いためロールフイルムを装填し難い。そこで、カメラ本体からフイルムホルダを取り出して、取り出したフイルムホルダに装填するタイプが知られている（例えば、特許文献１）。
【０００７】
フイルムホルダは、送出用スプールと巻取り用スプールとを回転自在に保持し、これらの間に圧板を持っている。圧板の前面は、フイルムホルダに設けた開口から露呈している。開口は、カメラ本体から取り外すときに遮蔽板によって蓋される。圧板に対してフイルム給送方向の両側には、圧板の前面で露光するためのフイルム展延部を作るためにガイドローラがそれぞれ設けられている。ロールフイルムの先端は、送出用スプールから引き出して一方のガイドローラ（送出側のガイドローラ）、圧板の前面、及び他方のガイドローラ（巻上げ側のガイドローラ）を通って巻取り用スプールに係止される。
【０００８】
フイルムの巻き掛けは、送出用スプールから送出用のガイドローラに対しては送出用スプールに巻回した状態で内面となっているフイルム乳剤面が外面側に、また巻上げ用のガイドローラから巻上げ用スプールに対しては外面となっている乳剤面を内面になるように、各々Ｓ字状に巻き掛ける。このようにフイルムを内外面反転させて給送する形態は、その形態からΩ（オメガ）巻きと呼ばれている（例えば、特許文献２）。この給送形態は１２０フイルムに限らず、裏紙のない２２０フイルムでも同様であり、フイルムホルダの横幅をコンパクトにすることができるという利点がある。
【０００９】
フイルムは比較的剛性が強く、また、送出用スプールに長期的に巻かれた状態で保持されているので巻き癖が付いている。しかも、裏紙を有する１２０フイルムは、裏紙のない２２０フイルムよりも腰が強い。これにより、巻取り用スプールにフイルムを巻き上げると、フイルム、特に２２０フイルムは、巻上げ側のガイドローラから浮き上がる弛み、及びフイルム幅方向でのカールなどの膨らみが生じ、一定速度で進まないなど挙動が不安定となり、蛇行する恐れがある。また、巻上げ側のガイドローラに対向する位置に、バーコード読み取りセンサやフイルム巻上げ中にデータを写し込むデータ写し込み機構が設けられている場合、巻上げ側のガイドローラとの間の距離や相対速度も不安定となるため、読み取り不能や写し込みが不明瞭になるなどの不都合が生じる。
【００１０】
そこで、フイルムがデータ写し込み機構の写し込みレンズの結像面と平行になるように、巻取り用スプールの側でかつ巻上げ用のガイドローラに並置してさらに補助用のガイドローラを設け、巻上げ用のガイドローラ近傍に生じるフイルムの弛みを補助用のガイドローラと巻取り用スプールとの間に寄せるようにしたものが知られている（特許文献２）。
【００１１】
また、巻上げ用のガイドローラに対向する内壁にリブを設け、リブの頭と巻き上げ用ガイドローラとの間でフイルムをニップしてフイルムの弛みを防止してバーコードの読み取りを正確に行えるようにしたものが知られている（特許文献３）。
【００１２】
【特許文献１】
特開平１１−３０５３２８号公報
【特許文献２】
特開平１１−１１９３３０号公報
【特許文献３】
特開平１１−１１９３２９号公報
【００１３】
【発明が解決しようとする課題】
しかしながら、特許文献２記載の発明では、巻上げ用のガイドローラの近傍に補助用のガイドローラを増やすため、内部にその分のスペースが必要になりフイルムマガジンが大型化する。また、特許文献３記載の発明では、リブをフイルムに擦らしているため、フイルムに傷が付くという問題があった。
【００１４】
本発明は上記事情に鑑みなされたものであって、コンパクトでしかもフイルムに傷を付けずに、内外面反転して給送されるフイルムの膨らみを防止するフイルムマガジンを提供することを目的とするものである。
【００１５】
【課題を解決するための手段】
上記目的を達成するために、本発明のフイルムマガジンには、巻上げ用のガイドローラに対向する内壁に、その巻上げ用のガイドローラの周面から巻取り用スプールに向けた給送路上でフイルムの膨らみが予め決められた膨らみを超えないように規制する規制手段を設けたものである。
【００１６】
規制手段としては、ローラやリブなどが好適である。このような規制手段を、フイルムの膨らみが予め決められた膨らみを超えないように、巻上げ用のガイドローラの周面から巻取り用スプールに向けた給送路に対して予め決められた距離離して設ければよい。離す距離としては、蛇行しない許容範囲、読み取り可能な範囲、明瞭に写し込み可能な範囲に応じて設定するのが望ましい。
【００１７】
フイルムマガジンとしては、写真用カメラに一体に取り付けられているタイプと着脱自在に取り付けられているタイプとがある。どちらのタイプにも本発明を採用することができる。また、フイルムマガジンを、フイルム給送機構をもちかつフイルムを装填するためのフイルムホルダと、フイルムホルダが着脱自在に取り付けられるマガジン本体とで構成しているものがある。この場合には、規制手段をマガジン本体に設けるのが望ましい。
【００１８】
【発明の実施の形態】
カメラ１０は、図１及び図２に示すように、撮影レンズ１１、レンズシャッタ１２、及びミラー・本体遮蔽板アップダウン機構１３等を有したカメラ本体１４、カメラ本体１４に対して着脱自在なフイルムマガジン１６とから構成されている。フイルムマガジン１６は、フイルム種類の異なる写真フイルム１５をセットするときに取り外される。取り外しは、カメラ本体１４に設けたスライドレバー１７をスライド操作する。
【００１９】
フイルムマガジン１６は、マガジン本体２０とフイルムホルダ２１とで構成されている。マガジン本体２０には、アパーチャー２２、遮蔽板２３、及びホルダ挿入口２５が設けられている。アパーチャー２２は、カメラ本体１４との接続面に形成されている。遮蔽板２３は、アパーチャー２２を開閉するためのものでおり、マガジン本体２０の外部に設けた操作つまみ２６の回転操作から得られる駆動を利用して開閉される。ホルダ挿入口２５は、アパーチャー２２を形成した面とは反対側の面に形成されている。
【００２０】
フイルムホルダ２１には、フイルム装填部２８、フイルム巻取り部２９、フイルム給送機構３０、圧板切替機構３１、ロック機構３２、及び裏蓋３３が設けられている。ロック機構３２は、マガジン本体２０からフイルムホルダ２１が抜け出ることを阻止する。裏蓋３３は、ホルダ挿入口２５を塞ぐ。裏蓋３３には、取り出し用操作部３４が外部に露呈して設けられている。その取り出し用操作部３４を操作することでロック機構３２のロックが解除される。
【００２１】
フイルム給送機構３０は、図３に示すように、給送用のモータ４０、及び駆動伝達機構４１、駆動軸４２、及び従動軸４３からなる。フイルム装填部２８には、ブローニーサイズの写真フイルム１５を巻き付けた送出用スプール４４が、またフイルム巻取り部２９には空の巻取り用スプール４５が装填される。
【００２２】
駆動軸４２は、フイルム巻取り部２９に設けられ、ここにセットされる巻き取り用スプール４５の軸方向の一端に設けたキー溝に係合する。巻取り用スプール４５の軸方向の他端に設けたキー溝には、回転自在な受け軸４６が係合する。駆動軸４２には、モータ４０の回転が伝達され、駆動軸４２はモータ４０の一方向の回転（正転）によりフイルム巻取り方向に回転する。
【００２３】
従動軸４３は、フイルム装填部２８にセットされる送出用スプール４４の軸方向の一端に設けたキー溝に係合する。他方のキー溝には、回転自在な受け軸４７が係合する。
【００２４】
フイルム装填部２８から引き出された写真フイルム１５は、送出側のガイドローラ４８及び巻上げ側のガイドローラ４９を介してフイルム巻取り部２９に送られる。これらガイドローラ４８，４９は共にフリーローラとなっており、これらガイドローラ４８，４９の間には圧板５０が配置されている。圧板５０は、ガイドローラ４８，４９との間に展延されたフイルム展延部１５ａを撮影光軸５１の方向の後方から支持する。また、このカメラ１０では、上下方向（垂直方向）に写真フイルム１５が給送される。なお、水平方向にフイルム給送するように構成してもよい。さらに、巻上げ側のガイドローラ４８の回転は搬送エンコーダ６８に伝達される。搬送エンコーダ６８は、ガイドローラ４８の回転角を検知してフイルム給送長を得る。
【００２５】
巻上げ側のガイドローラ４９の上方には、バーコードセンサ５５、データ写し込み機構５６、押さえローラ５７、及びリブ５８とが配置されている。バーコードセンサ５５は、写真フイルム１５に記録されたバーコードを読み取る。バーコードは接合テープの表面に記録されており、幅の異なる２種類の黒バーと白バーとの組み合わせにより、フイルム種別、フイルム感度、フイルム枚数のデータが記録されている。接合テープは、リーダーペーパーに写真フイルム１５の先端を重ね、この重ね合わせ部分に貼り付けられている。バーコードセンサ５５はフォトセンサから構成されており、写真フイルム１５に赤外線を照射し、反射光を受光し、受光した反射光の強度に応じた信号レベルの光電信号を出力する。
【００２６】
データ写し込み機構５６は、写込みレンズ、プリズム、マスクおよびＬＥＤ等から構成され、フイルム給送中に撮影情報を撮影コマ以外の領域に記録する。撮影情報は、ＬＥＤチップの情報がレンズによって、例えば７セグメントの文字で形成されて写し込まれる。
【００２７】
モータ４０の逆転駆動は、モータ４０の回転方向に連動して切り替わるクラッチ６０により圧板切替機構３１に伝達される。圧板切替機構３１は、モータ４０の逆転駆動を利用して圧板５０の位置を光軸方向に移動してフイルム種別に応じてトンネル隙間を変更する。なお、１２０ロールフイルムの場合にはトンネル隙間が広くなる広位置に、また２２０ロールフイルムの場合にはトンネル隙間が狭くなる狭位置に圧板５０が移動する。トンネル隙間は、マガジン本体２０に設けたフイルム受け面と圧板５０の前面との間の隙間である。
【００２８】
フイルム給送制御は、バーコードセンサ５５からのバーコード検出信号に基づき前記テープの通過を検出し、この検出タイミングに基づき、送出側のガイドローラ４８の回転量に基づく搬送パルス数のカウントを開始し、１コマ目に相当するカウント値に達したときに、モータ４０の正転駆動を停止する。その後、モータ４０を逆転してフイルム種別に応じて圧板切替機構３１を制御する。また、撮影後の１コマ送りでは、搬送パルス数が１コマ送り分に達したか否かを判定してコマ送りを行う。
【００２９】
押さえローラ５７は、図４ないし図６に示すように、マガジン本体２０の内部に突出して設けられており、押さえ板５７ａとコロ５７ｂとから構成されている。押さえ板５７ａは、断面コ字状となっている。コロ５７ｂは、回転軸が巻き上げ側のガイドローラ４９の回転軸と平行となるように、押さえ板５７ａの両端で回転自在に支持されている。
【００３０】
コロ５７ｂは、フイルムホルダ２１が装着されたときに、回転軸方向から見て巻上げ側のガイドローラ４９に対して写真フイルム１５の厚み以上の隙間を空けた上方で、かつ回転中心が巻上げ側のガイドローラ４９の中心に対して巻取り用スプール４５に寄った位置に設けられている。また圧板５０の側から見てデータ写し込み機構５６の結像面及びバーコードセンサ５５の読み取り範囲を除く位置に設けられている。この位置で巻上げ側のガイドローラ４９から巻取り用スプール４５に向けて移送される途中でフイルム１５が所定以上膨らむことを防止する。なお、コロ５７ｂの長さとしては、膨らむところを部分的に押さえる長さにしているが、フイルム幅と同じ長さにしてもよい。
【００３１】
リブ５８は、マガジン本体２０の内部に突出して設けられており、フイルムホルダ２１が装着されたときに、巻上げ側のガイドローラ４９に対してフイルム１５の厚み以上の隙間を空けた上方で、かつフイルム幅方向のうちの何れか一方の端側に対向する位置に設けられている。この位置で、巻上げ側のガイドローラ４９から巻取り用スプール４５に向けて移送される途中でフイルム１５の端が所定以上膨らむことを防止する。リブ５８は、フイルム１５の幅方向に対して細幅となっており、長さは、巻上げ側のガイドローラ４９の外周を覆う長さになっている。
【００３２】
次に上記構成の作用を説明する。フイルム装填は、マガジン本体２０の外部に設けた操作つまみ２６を操作する。これにより遮蔽板２３が閉じ位置に移動してアパーチャー２２が塞がれる。
【００３３】
アパーチャー２２を塞いだ後にフイルムホルダ２１をマガジン本体２０から取り外す。この操作は、フイルムホルダ２１の裏蓋３３の外部に設けた取り出し用操作部３４を操作する。取り出し用操作部３４を操作してロック機構３２のロックを解除すると、フイルムホルダ２１をマガジン本体から取り出すことができる。
【００３４】
取り出したフイルムホルダ２１のフイルム装填部２８に写真フイルム１５を巻回した実の送出用スプール４４を装填し、またフイルム巻取り部２９に空の巻取り用スプール４５をセットする。
【００３５】
その後に、リーダーペーパーの先端を、送出側のガイドローラ４８、圧板５０の前面、及び巻上げ側のガイドローラ４９に順に巻き掛けてフイルム巻取り部２９の巻取り用スプール４５の溝に差し込む。そして、巻取り用スプール４５をフイルム巻き取り方向に回転し、リーダーぺーパーを巻取り用スプール４５に２〜３巻分だけ巻き付けることでフイルム１５を内外面反転するフイルム巻き掛け装填が完了する。
【００３６】
フイルム装填済みのフイルムホルダ２１を図４に示すようにマガジン本体２０に取り付ける。このとき、凹部及び凸部からなる位置決め手段によってマガジン本体２０の内部にフイルムホルダ２１が正確に取り付けられる。マガジン本体２０とフイルムホルダ２１とを取り付けたフイルムマガジン１６をカメラ本体１４に取り付ける。その後、操作つまみ２６を回転操作して遮蔽板２３を開き位置にしてアパーチャー２２を開口させる。
【００３７】
フイルムマガジン１６をカメラ本体１４に取り付けた後には、モータ４０を逆転駆動して圧板切替機構３１を駆動してトンネル隙間を広位置に移動させてからフイルム初期送りを行う。
【００３８】
このフイルム初期送りは、フイルム給送用のモータ４０を正転駆動して、最初の１コマ目の撮影コマをアパーチャー２２にセットするまで写真フイルム１５を送る。モータ４０の正転駆動は、フイルム給送機構３０を介して駆動軸４２に伝達される。駆動軸４２は、巻取り用スプール４５をフイルム巻き取り方向に回転し、写真フイルム１５を送出用スプール４４から引き出す。
【００３９】
フイルム初期送り時には、写真フイルム１５のバーコードがバーコードセンサ５５で読み取られる。このセンサ５５からの信号に基づいてフイルム種別、フイルム感度、フイルム枚数が解読される。なお、フイルム初期送り時には、トンネル隙間が広位置となる１２０タイプ用の隙間に設定した状態で行われる。
【００４０】
フイルム給送が継続され、次に、リーダーペーパと写真フイルム１５とを接合しているパスター（テープ）がバーコードセンサ５５で検知される。このパスターを検知した後に、送出側のガイドローラ４８の回転角を搬送エンコーダ６８が検知し、搬送エンコーダ６８から得られるパルス数を参考にして１コマ目までの長さに応じた分だけ写真フイルム１５を送ることで最初の撮影コマがアパーチャー２２にセットされる。
【００４１】
このバーコード読み取り時に、巻上げ側のガイドローラ４９の外周でフイルム１５が膨らむことがある。この膨らみが予め決められた膨らみを超えたときに押さえローラ５７とリブ５８とによって押さえられ、それ以上膨らむことを防止することができる。しかも、本実施形態では、フイルム１５の幅方向においてセンサ５５を挟んだ両側にリブ５８と押さえローラ５７とを配しているから、センサ５５でのバーコードの読み取りを確実にすることができる。
【００４２】
フイルム初期送り後は、バーコードセンサ５５から読み取った情報に基づいてフイルム種別を識別する。識別したフイルム種類が１２０タイプの場合には、広い隙間に設定されているので、新たに切り替える必要がない。
【００４３】
一方、フイルム種別が２２０タイプの場合には、フイルム給送用のモータ４０を逆転して圧板切替機構３１を作動してトンネル隙間を狭位置に変更する。このようにモータ４０の一方向の回転でフイルム給送を、また他方向の回転でトンネル隙間を変更する。そして、最初の撮影コマのセット及びフイルム種別に応じたトンネル隙間の変更とが完了することで撮影準備が整う。
【００４４】
カメラ本体１４の外部に設けたレリーズボタン８０（図１参照）を操作すると、これに応答して、まずレンズシャッタ１２（図２参照）を閉じ動作させ、これと同時にミラー・本体遮蔽板アップダウン機構１３のミラーをアップし、レンズシャッタ１２の閉じ動作に応答してミラー・本体遮蔽板アップダウン機構１３の本体遮蔽板をアップさせる。そして、ミラー及び本体遮蔽板がアップしたことに応答してレンズシャッタ１２を予めセットされたシャッタ秒時分だけ作動させて露光を行う。
【００４５】
露光完了後、レンズシャッタ１２から露光完了信号が送られることに応答してモータ４０のドライバに巻き上げスタート信号を送り、モータ４０を正転駆動させて１コマ送りを開始する。また、同時にダウン信号がミラー・本体遮蔽板アップダウン機構１３に送られ、ミラー及び本体遮蔽板がダウン位置に戻されて次の撮影準備が完了する。
【００４６】
１コマフイルム給送は、送出側のガイドローラ４８の回転量に基づく搬送パルス数が１コマ分の送り量に応じたカウント値に達することに応答してモータ４０の正転駆動を停止する。これにより次の撮影コマがアパーチャー２２にセットされる。この間、前回の撮影情報がデータ写し込み機構５６により撮影コマ以外の範囲に写し込まれる。以後シャッタレリーズを繰り返すことで最後の撮影コマまで撮影が継続される。
【００４７】
この１コマフイルム給送時に、巻上げ側のガイドローラ４９の外周でフイルム１５が膨らむことがある。この膨らみも予め決められた膨らみを超えたときに押さえローラ５７とリブ５８とによって押さえられ、それ以上膨らむことを防止することができる。これにより、フイルム１５の走行が安定する。また、本実施形態では、データ写し込み機構５６がフイルム１５の端部に写し込む。このため、リブ５８も同じフイルム１５の端部側に設けている。しかも、本実施形態では、フイルム１５の幅方向においてデータ写し込み機構５６を挟んだ両側にリブ５８と押さえローラ５７とを配しているから、写し込み位置でのフイルムの平面性が向上し、撮影情報を明瞭に写し込むことができる。
【００４８】
最後の撮影コマを撮影した後には、フイルム最終送りが行われる。フイルム最終送りは、写真フイルム１５の全部を巻取り用スプール４５に巻き取るまで写真フイルム１５を送る。この制御は、バーコードセンサ５５がトレーラーペーパーを検出することでフイルム巻き止めを無効化し、フイルム最終送りが実行される。そして、センサ５５でトレーラーペーパーが無いことを検知することで、これに応答してモータ４０の正転駆動を停止する。これにより、全ての写真フイルム１５が巻取り用スプール４５に巻き取れられる。
【００４９】
このようにしてフイルム最終送りが行われることで撮影済みの写真フイルム１５が巻取り用スプール４５に全て巻き取られている。フイルム交換は、フイルムホルダ２１を取り外して、フイルム巻取り部２９から撮影済みのフイルム１５を巻回した巻取り用スプール４５を取り出す。
【００５０】
そして、フイルム装填部２８にある空となった送出用スプール４４を取り外し、その空のスプール４４をフイルム巻取り部２９に巻取り用としてセットしなおし、また新たな写真フイルム１５を巻回したスプール４４を送出用としてフイルム装填部２８にセットしてから再びフイルムホルダ２１をマガジン本体２０にセットすることで新たに撮影が行える。
【００５１】
上記実施形態では、コロ５７ｂの外周面を断面直線としているが、必ずしも直線である必要はなく、外周面をフイルム１５の膨らみに沿うように円錐形にしてもよい。また、規制手段としては、フイルムホルダ２１を着脱するときにフイルムに接触するなど不都合となる場合、フイルムホルダ２１の着脱に連動して押さえローラ５７を退避位置とセット位置との間で移動する移動手段を設けるのが望ましい。
【００５２】
上記実施形態では、規制手段として押さえローラやリブとしているが、これらに限らず、フイルムの膨らみを押さえる部材であればどのような部材でもよい。
【００５３】
【発明の効果】
以上説明したように、本発明のフイルムマガジンでは、巻上げ用のガイドローラに対向する内壁に規制手段を設けたから、巻上げ用のガイドローラの周面から巻取り用スプールに向けた給送路上でフイルムが予め決められた膨らみを超えないように規制され、よってフイルムの蛇行、フイルムへの傷を確実に防止することができる。また、巻上げ用のガイドローラの周面に沿って通過するフイルムに撮影情報などを記録するデータ写し込み機構を備えるものでは明瞭な写し込みを実現することができる。
【図面の簡単な説明】
【図１】本発明のカメラの要部を裏蓋側から見た斜視図である。
【図２】カメラ内部の構造を概略的に示す説明図である。
【図３】フイルムマガジンに内蔵したフイルム給送機構の概略を示す斜視図である。
【図４】マガジン本体とフイルムホルダとを分離した状態を示す縦断面図である。
【図５】マガジン本体にフイルムホルダを取り付けた状態を示す縦断面図である。
【図６】マガジン本体にフイルムホルダを取り付けた状態を示す横断面図であり、アパーチャー側から見ている。
【符号の説明】
１４　カメラ本体
１５　写真フイルム
１６　フイルムマガジン
２０　マガジン本体
２１　フイルムホルダ
２２　アパーチャー
３３　裏蓋
４２　駆動軸
４３　従動軸
５５　バーコードセンサ
５６　データ写し込み機構
５７　押さえローラ
５８　リブ
【図１】
2004117471.tif 000003
【図２】
2004117471.tif 000004
【図３】
2004117471.tif 000005
【図４】
2004117471.tif 000006
【図５】
2004117471.tif 000007
【図６】
2004117471.tif 000008